【手続補正書】
【提出日】平成24年3月28日(2012.3.28)
【手続補正１】
【補正対象書類名】明細書
【補正対象項目名】発明の名称
【補正方法】変更
【補正の内容】
【発明の名称】ベースプレート、及び電気メッキ装置
【手続補正２】
【補正対象書類名】明細書
【補正対象項目名】０１０７
【補正方法】変更
【補正の内容】
【０１０７】
本明細書において引用した参考文献の内容は全て、参照により本願に組み込まれる。
［項目３］
前記疎水性コーティングは、ポリアミドイミド（ＰＡＩ）を含む項目１に記載のベースプレート。
［項目５］
前記疎水性コーティングは、スプレーコーティング法を用いて塗布される項目１に記載のベースプレート。
［項目６］
前記疎水性コーティングは、少なくとも前記ナイフ状突起に、キシランＰ−９２を少なくとも一層スプレーすることによって、塗布される項目５に記載のベースプレート。
［項目７］
前記疎水性コーティングは、キシランＰ−９２の前記層の上にキシラン１０１０を少なくとも一層スプレーすることによって、塗布される項目６に記載のベースプレート。
［項目１４］
ＮｏｖｅｌｌｕｓのＳａｂｒｅ（登録商標）電気メッキシステムにおいて利用される項目１に記載のベースプレート。
［項目１６］
カップで利用されるコンタクトリングであって、前記カップは、電気メッキ中に半導体ウェハを保持すると共に前記コンタクトリングにメッキ溶液を接触させないように構成されており、前記コンタクトリングは電気メッキ中に前記半導体ウェハに電流を供給し、前記コンタクトリングは、
前記カップのほかの構成要素と係合するようにサイズおよび形状が決定されている単一のリング状本体と、
前記単一のリング状本体に取り付けられ、前記単一のリング状本体から内向きに延伸している複数の指状コンタクトと
を備え、
前記複数の指状コンタクトは、お互いから離間させて斜めに設けられており、各指状コンタクトは、前記半導体ウェハの外側エッジから約１ｍｍ未満の箇所で、前記半導体ウェハに接触するように配置されているコンタクトリング。
［項目１７］
前記リング状本体および前記複数の指状コンタクトは、Ｐａｌｉｎｅｙ  ７を含む項目１６に記載のコンタクトリング。
［項目１８］
前記複数の指状コンタクトは、略Ｖ字形の形状を持ち、前記単一のリング状本体によって画定される平面から下向きに延伸した後、前記半導体ウェハと接触する遠位ポイントまで上向きに延伸する項目１６に記載のコンタクトリング。
［項目１９］
前記複数の指状コンタクトは、少なくとも約３００個の指状コンタクトを有する項目１６に記載のコンタクトリング。
［項目２０］
前記複数の指状コンタクトは、電気メッキ中に前記半導体ウェハによって加えられる力で屈曲する項目１６に記載のコンタクトリング。
［項目２１］
前記複数の指状コンタクトのそれぞれの少なくとも一部分は、ポリテトラフルオロエチレン（ＰＴＦＥ）、エチレン−テトラフルオロエチレン（ＥＴＦＥ）、ポリフッ化ビニリデン（ＰＶＤＦ）およびこれらの共重合体から成る群から選択される１以上の疎水性ポリマーによってコーティングされている項目１６に記載のコンタクトリング。
［項目２２］
カップで利用される端縁シールおよびコンタクトリングアセンブリであって、前記カップは、電気メッキ中に半導体ウェハを保持すると共に前記半導体ウェハの周縁領域からメッキ溶液を排除するように構成されており、前記端縁シールおよびコンタクトリングアセンブリは、電気メッキ中に、前記半導体ウェハに電流を供給し、前記端縁シールおよびコンタクトリングアセンブリは、
前記半導体ウェハと係合して、前記メッキ溶液を前記半導体ウェハの前記周縁領域から排除するリング状エラストマー端縁シールと、
単一のリング状本体および複数の指状コンタクトを有するコンタクトリングと
を備え、
前記リング状エラストマー端縁シールの内径は、前記メッキ溶液を排除するための外周を画定し、
前記複数の指状コンタクトは、前記リング状本体に取り付けられ、前記リング状本体から内向きに延伸し、お互いから離間して斜めに設けられ、各指状コンタクトは、前記端縁シールの内径から少なくとも約１ｍｍの箇所において、前記半導体ウェハと係合するように配置されている
端縁シールおよびコンタクトリングアセンブリ。
［項目２３］
前記複数の指状コンタクトはそれぞれ、略Ｖ字形の形状を持ち、前記単一のリング状本体によって画定される平面から下向きに延伸した後、前記リング状エラストマー端縁シールが前記半導体ウェハと係合する平面より高い位置の遠位ポイントまで上向きに延伸する項目２２に記載の端縁シールおよびコンタクトリングアセンブリ。
［項目２４］
前記リング状エラストマー端縁シールは、疎水性コーティングを有する項目２２に記載の端縁シールおよびコンタクトリングアセンブリ。
［項目２５］
前記リング状エラストマー端縁シールは、分配バスを収容する溝を有する項目２２に記載の端縁シールおよびコンタクトリングアセンブリ。
［項目２６］
前記リング状エラストマー端縁シールのうち前記半導体ウェハと係合する部分は、前記係合が維持されている間、圧縮される項目２２に記載の端縁シールおよびコンタクトリングアセンブリ。
［項目２９］
カップおよびコーンを備える装置で半導体ウェハに電気メッキを行う方法であって、
前記半導体ウェハを前記カップ上に位置決めする段階と、
前記コーンを前記半導体ウェハまで降下させて、前記半導体ウェハの裏面に力を加えて、前記カップの端縁シールと前記半導体ウェハの前面との間にシールを構築する段階と、
前記半導体ウェハの前記前面の少なくとも一部分を電気メッキ溶液内に浸漬させて、前記半導体ウェハの前記前面に対して電気メッキを実行する段階と、
前記コーンを上昇させて、前記半導体ウェハの前記裏面に前記力を加えるのを停止する段階と
を備え、
前記上昇は、少なくとも２秒間にわたって実行される方法。
［項目３０］
前記コーンの上昇に先立って、少なくとも約３秒間にわたって、前記半導体ウェハを回転させる段階をさらに備える、項目２９に記載の方法。
【手続補正３】
【補正対象書類名】特許請求の範囲
【補正対象項目名】全文
【補正方法】変更
【補正の内容】
【特許請求の範囲】
【請求項１】
電気メッキ中に半導体ウェハを保持すると共に電気メッキ溶液を電気コンタクトに到達させないように構成されているカップにおいて利用されるベースプレートであって、
リング状本体と、
前記リング状本体から内向きに延伸し、エラストマー端縁シールを支持しているナイフ状突起と、
ポリアミドイミド（ＰＡＩ）を含み、少なくとも前記ナイフ状突起を被覆している疎水性コーティングと
を備え、
前記エラストマー端縁シールは、前記半導体ウェハと係合し、前記電気メッキ溶液が前記電気コンタクトに到達しないようにする
ベースプレート。
【請求項２】
前記疎水性コーティングは、ポリフッ化ビニリデン（ＰＶＤＦ）、ポリテトラフルオロエチレン（ＰＴＦＥ）、および、これらの共重合体から成る群から選択される１以上の材料を含む請求項１に記載のベースプレート。
【請求項３】
前記疎水性コーティングの厚みは、約２０μｍから３５μｍの間である請求項１または２に記載のベースプレート。
【請求項４】
前記疎水性コーティングは、９０Ｖのスパークテストに合格する請求項１から３の何れか１項に記載のベースプレート。
【請求項５】
前記疎水性コーティングによる前記電解質溶液の浸出または吸収は、検出可能な量ではない請求項１から４の何れか１項に記載のベースプレート。
【請求項６】
前記リング状本体および前記ナイフ状突起は、ステンレススチール、チタン、およびタンタルから成る群から選択される１以上の材料を含む請求項１から５の何れか１項に記載のベースプレート。
【請求項７】
前記リング状本体は、電気メッキ装置のシールド構造に対して取り外し可能に取り付けられる請求項１から６の何れか１項に記載のベースプレート。
【請求項８】
前記ナイフ状突起は、少なくとも約２００ポンドの力を支持する請求項１から７の何れか１項に記載のベースプレート。
【請求項９】
前記リング状本体は、端縁シールのリッジと係合する溝を有する請求項１から８の何れか１項に記載のベースプレート。
【請求項１０】
前記疎水性コーティングは２つの層を有する請求項１から９の何れか１項に記載のベースプレート。
【請求項１１】
前記２つの層のうち第１の層は約１００％のポリアミドイミドを含み、前記２つの層のうち第２の層は約７０％のポリアミドイミドと約３０％のポリテトラフルオロエチレンとを含む請求項１０に記載のベースプレート。
【請求項１２】
前記第２の層は前記ナイフ状突起に対して前記第１の層を被覆する請求項１１に記載のベースプレート。
【請求項１３】
前記疎水性コーティングは、前記２つの層を被覆する１以上のさらなる層を有する請求項１１または１２に記載のベースプレート。
【請求項１４】
前記リング状本体及び前記ナイフ状突起は、前記電気コンタクトから分離されている請求項１から１３の何れか１項に記載のベースプレート。
【請求項１５】
電気メッキ中に半導体ウェハを保持する電気メッキ装置であって、前記電気メッキ装置の所与の部分は、メッキ溶液が接触しないようになっており、前記電気メッキ装置は、
前記半導体ウェハを支持し、ベースプレートを有するカップと、
前記半導体ウェハに力を加えて、エラストマーシールに対して前記半導体ウェハを押圧するコーンと、
前記カップに対して相対的に前記コーンを移動させ、前記コーンを介して前記半導体ウェハに力を加え、前記カップの前記エラストマーシールで前記半導体ウェハをシールして、前記カップおよび前記コーンを回転させるシャフトと
を備え、
前記ベースプレートは、
リング状本体と、
前記リング状本体から内向きに延伸し、前記エラストマー端縁シールを支持するナイフ状突起と、
ポリアミドイミド（ＰＡＩ）を含み、少なくとも前記ナイフ状突起を被覆している疎水性コーティングと
を有し、
前記エラストマー端縁シールは、前記半導体ウェハと係合し、前記電気メッキ溶液が前記電気コンタクトに到達しないようにする電気メッキ装置。
【請求項１６】
命令を有するコントローラ
をさらに備え、
前記命令は、
前記半導体ウェハを前記カップ上に位置決めして、
前記コーンを前記半導体ウェハまで降下させて、前記半導体ウェハの裏面に力を加えて、前記カップの端縁シールと前記半導体ウェハの前面との間にシールを構築して、
前記半導体ウェハの前記前面の少なくとも一部分を電気メッキ溶液内に浸漬させて、前記半導体ウェハの前記前面に対して電気メッキを実行して、
前記コーンを上昇させて、前記半導体ウェハの前記裏面に前記力を加えるのを停止させるための命令であり、
前記上昇は、少なくとも２秒間にわたって実行される請求項１５に記載の電気メッキ装置。